(57)【要約】【課題】小形で、かつカットオフ周波数を超える周波数帯域においてノイズを良好に減衰させ得るフィルタ素子を提供する。【解決手段】電気的絶縁性を有する帯状誘電体シート２ａに帯状導電体２ａを重ねた状態で巻回することによって全体として筒状に形成されると共に帯状導電体２ａの各端部に入力端子４ａおよび出力端子５ａがそれぞれ接続可能に構成されたコイル部２と、切り込み３ｂを介して外縁側と連通する中心孔３ａが形成されると共にコイル部２における少なくとも一方の端面側に帯状導電体２ａと電気的に絶縁された状態で配設された平板状の接地用電極３と、コイル部２の中心孔２ｄおよび接地用電極３の中央孔３ａに装着された磁性コア７とを備えている。【選択図】図１
2005318263.tif 000002
【特許請求の範囲】
【請求項１】
電気的絶縁性を有する帯状誘電体シートに帯状導電体を重ねた状態で巻回することによって全体として筒状に形成されると共に前記帯状導電体の各端部に入力端子および出力端子がそれぞれ接続可能に構成されたコイル部と、切り込みを介して外縁側と連通する中心孔が形成されると共に前記コイル部における少なくとも一方の端面側に前記帯状導電体と電気的に絶縁された状態で配設された平板状の接地用電極と、前記コイル部の中心孔および前記接地用電極の前記中央孔に装着された磁性コアとを備えているフィルタ素子。
【請求項２】
前記コイル部は、相互間に隙間を空けた状態で前記帯状導電体が一対並設されると共に、当該各帯状導電体の一端側に入力端子がそれぞれ接続可能でかつ当該各帯状導電体の他端側に出力端子がそれぞれ接続可能に構成され、
前記接地用電極は、前記コイル部の両端側にそれぞれ配設されている請求項１記載のフィルタ素子。
【請求項３】
電気的絶縁性を有する帯状誘電体シートに帯状導電体を重ねた状態で巻回することによって全体として筒状に形成されると共に前記帯状導電体の各端部に入力端子および出力端子がそれぞれ接続可能に構成されたコイル部と、当該コイル部における少なくとも一方の端面側に前記帯状導電体と電気的に絶縁された状態で配設された平板状の磁性コアと、当該磁性コアにおける前記コイル部との非対向面側に配設された平板状の接地用電極とを備えているフィルタ素子。
【請求項４】
前記コイル部は、相互間に隙間を空けた状態で前記帯状導電体が一対並設されると共に、当該各帯状導電体の一端側に入力端子がそれぞれ接続可能でかつ当該各帯状導電体の他端側に出力端子がそれぞれ接続可能に構成され、
前記磁性コアは、前記コイル部の両端側に一対配設され、
前記接地用電極は、前記各磁性コアにおける前記コイル部との非対向面側にそれぞれ配設されている請求項３記載のフィルタ素子。
【発明の詳細な説明】
【技術分野】
【０００１】
本発明は、電気的絶縁性を有する帯状誘電体シートに帯状導電体を重ねた状態で巻回されて構成されたフィルタ素子に関するものである。
【背景技術】
【０００２】
この種のフィルタ素子として、特開平２−２６１１４号公報および特開平７−１２２４６０号公報に開示されたフィルタ素子が知られている。これらのフィルタ素子（以下、「フィルタ素子」ともいう）は、いずれも、所定距離だけ隔たった位置に入出力リード線が接続された線路用の帯状導電体と、接地用リード線が接続されると共に第１の帯状導電体に対向させて設けられた接地用の帯状導電体と、これらの帯状導電体を巻回したときにこれらの電気的絶縁を行う誘電体シートとを備え、各帯状導電体および誘電体シートを巻回することにより、３端子型ノイズフィルタ（低域通過型フィルタ）としてそれぞれ構成されている。これらの各フィルタ素子では、誘電体シートを介して２枚の帯状導電体を巻回することにより、インダクタ成分とキャパシタ成分とが分布定数的に存在するフィルタ素子として機能するため、広帯域に亘って良好な減衰特性が得られている。
【特許文献１】特開平２−２６１１４号公報（第４頁、第１図）
【特許文献２】特開平７−１２２４６０号公報（第４−５頁、第１図）
【発明の開示】
【発明が解決しようとする課題】
【０００３】
ところが、従来の各フィルタ素子には、以下のような解決すべき共通の問題点がある。すなわち、これらのフィルタ素子では、接地用の帯状導電体を線路用の帯状導電体と一緒に巻回する構成のため、接地用の帯状導電体自体も比較的大きなインダクタンスを有している。したがって、線路用の帯状導電体と接地用の帯状導電体との間のキャパシタ成分よりも線路用の帯状導電体における各部位相互間のキャパシタ成分の方が、線路用の帯状導電体を通過する信号に対して大きく影響を及ぼすことになる結果、カットオフ周波数を超える周波数帯域において減衰特性が悪化すると考えられる。さらに、線路用の帯状導電体と接地用の帯状導電体とが磁気的に結合することにより、線路用の帯状導電体を通過する信号に対応した影像電流（誘導電流）が接地用の帯状導電体に流れる結果、磁気的特性が低下して線路用の帯状導電体におけるインダクタ成分が低下する。このため、これによってもカットオフ周波数を超える周波数帯域において減衰特性が悪化すると考えられる。したがって、カットオフ周波数を超える周波数帯域におけるノイズを良好に減衰させることが困難であるという問題点が存在する。また、接地用の帯状導電体を線路用の帯状導電体と一緒に巻回する構成のため、外径が大きくなって大形化するという問題点も存在する。
【０００４】
本発明は、かかる問題点に鑑みてなされたものであり、小形で、かつカットオフ周波数を超える周波数帯域においてノイズを良好に減衰させ得るフィルタ素子を提供することを主目的とする。
【課題を解決するための手段】
【０００５】
上記目的を達成すべく請求項１記載のフィルタ素子は、電気的絶縁性を有する帯状誘電体シートに帯状導電体を重ねた状態で巻回することによって全体として筒状に形成されると共に前記帯状導電体の各端部に入力端子および出力端子がそれぞれ接続可能に構成されたコイル部と、切り込みを介して外縁側と連通する中心孔が形成されると共に前記コイル部における少なくとも一方の端面側に前記帯状導電体と電気的に絶縁された状態で配設された平板状の接地用電極と、前記コイル部の中心孔および前記接地用電極の前記中央孔に装着された磁性コアとを備えている。なお、本発明における「端子」には、金具状の端子を含むのは勿論のこと、いわゆるリード線も含まれる。
【０００６】
また、請求項２記載のフィルタ素子は、請求項１記載のフィルタ素子において、前記コイル部は、相互間に隙間を空けた状態で前記帯状導電体が一対並設されて構成されると共に、当該各帯状導電体の一端側に入力端子がそれぞれ接続可能でかつ当該各帯状導電体の他端側に出力端子がそれぞれ接続可能に構成され、前記接地用電極は、前記コイル部の両端側にそれぞれ配設されている。
【０００７】
また、上記目的を達成すべく請求項３記載のフィルタ素子は、電気的絶縁性を有する帯状誘電体シートに帯状導電体を重ねた状態で巻回することによって全体として筒状に形成されると共に前記帯状導電体の各端部に入力端子および出力端子がそれぞれ接続可能に構成されたコイル部と、当該コイル部における少なくとも一方の端面側に前記帯状導電体と電気的に絶縁された状態で配設された平板状の磁性コアと、当該磁性コアにおける前記コイル部との非対向面側に配設された平板状の接地用電極とを備えている。
【０００８】
また、請求項４記載のフィルタ素子は、請求項３記載のフィルタ素子において、前記コイル部は、相互間に隙間を空けた状態で前記帯状導電体が一対並設されて構成されると共に、当該各帯状導電体の一端側に入力端子がそれぞれ接続可能でかつ当該各帯状導電体の他端側に出力端子がそれぞれ接続可能に構成され、前記磁性コアは、前記コイル部の両端側に一対配設され、前記接地用電極は、前記各磁性コアにおける前記コイル部との非対向面側にそれぞれ配設されている。
【発明の効果】
【０００９】
以上のように、請求項１記載のフィルタ素子によれば、電気的絶縁性を有する帯状誘電体シートに帯状導電体を重ねた状態で巻回することによって全体として筒状に形成されると共に帯状導電体の各端部に入力端子および出力端子がそれぞれ接続可能に構成されたコイル部と、切り込みを介して外縁側と連通する中心孔が形成されると共にコイル部における少なくとも一方の端面側に帯状導電体と電気的に絶縁された状態で配設された平板状の接地用電極と、コイル部の中心孔および接地用電極の中央孔に装着された磁性コアとを備えて構成されたことにより、帯状導電体が接地用電極と容量結合する結果、インダクタ成分とキャパシタ成分とが分布定数的に存在するフィルタ素子として機能させることができる。また、このフィルタ素子では、接地用電極が帯状導電体と一緒に巻回されない構成のため、接地用電極自体のインダクタンスを従来のフィルタ素子と比較して十分に小さくすることができる。この結果、カットオフ周波数よりも高い周波数帯域において、帯状導電体を通過する信号に対する帯状導電体における各部位相互間のキャパシタ成分の影響よりもその信号に対する帯状導電体と接地用電極との間のキャパシタ成分の影響が大きい状態を維持することができると考えられる。つまり、ノイズ成分が、このキャパシタ成分を介して、よりスムーズに接地に流れ込むようになると考えられる。また、帯状導電体と接地用電極との磁気的結合の度合いを従来のフィルタ素子よりも小さくすることもできる結果、帯状導電体を通過する信号に対応した影像電流（誘導電流）が各接地用電極に流れにくくなると考えられる。このため、影像電流に起因する磁気的特性の悪化も軽減することができる結果、磁性コアを装着したことと相俟って、帯状導電体におけるインダクタ成分の低下を十分に抑制することもできると考えられる。したがって、このフィルタ素子によれば、カットオフ周波数を超える周波数帯域において十分な減衰量を確保することができる結果、この周波数帯域におけるノイズ等を良好に減衰させることができる。また、接地用電極と各帯状導電体とが一緒に巻回されない構成のため、その分だけコイル部の外径を小さくすることができる結果、フィルタ素子を十分に小形化することができる。
【００１０】
また、請求項２記載のフィルタ素子によれば、相互間に隙間を空けた状態で帯状導電体が一対並設されると共に、各帯状導電体の一端側に入力端子がそれぞれ接続可能でかつ各帯状導電体の他端側に出力端子がそれぞれ接続可能にコイル部を構成し、コイル部の両端側に接地用電極をそれぞれ配設したことにより、一対の帯状導電体を平衡線路としつつ、各帯状導電体に関して上記した特性を備えたコモンモードノイズ用のフィルタ素子を実現することができる。
【００１１】
また、請求項３記載のフィルタ素子によれば、電気的絶縁性を有する帯状誘電体シートに帯状導電体を重ねた状態で巻回することによって全体として筒状に形成されると共に帯状導電体の各端部に入力端子および出力端子がそれぞれ接続可能に構成されたコイル部と、コイル部における少なくとも一方の端面側に帯状導電体と電気的に絶縁された状態で配設された平板状の磁性コアと、磁性コアにおけるコイル部との非対向面側に配設された平板状の接地用電極とを備えて構成されたことにより、帯状導電体が導電性を有する磁性コアを介して接地用電極と容量結合する結果、インダクタ成分とキャパシタ成分とが分布定数的に存在するフィルタ素子として機能させることができる。また、このフィルタ素子でも、接地用電極が帯状導電体と一緒に巻回されない構成のため、接地用電極自体のインダクタンスを従来のフィルタ素子と比較して十分に小さくすることができる。この結果、カットオフ周波数よりも高い周波数帯域において、帯状導電体を通過する信号に対する帯状導電体における各部位相互間のキャパシタ成分の影響よりもその信号に対する帯状導電体と接地用電極との間のキャパシタ成分の影響が大きい状態を維持することができると考えられる。つまり、ノイズ成分が、このキャパシタ成分を介して、よりスムーズに接地に流れ込むようになると考えられる。また、帯状導電体と接地用電極との磁気的結合の度合いを従来のフィルタ素子よりも小さくすることもできる結果、帯状導電体を通過する信号に対応した影像電流（誘導電流）が各接地用電極に流れにくくなると考えられる。このため、影像電流に起因する磁気的特性の悪化も軽減することができる結果、磁性コアを装着したことと相俟って、帯状導電体におけるインダクタ成分の低下を十分に抑制することもできると考えられる。したがって、このフィルタ素子によれば、カットオフ周波数を超える周波数帯域において十分な減衰量を確保することができる結果、この周波数帯域におけるノイズ等を良好に減衰させることができる。また、接地用電極と各帯状導電体とが一緒に巻回されない構成のため、その分だけコイル部の外径を小さくすることができる結果、フィルタ素子を十分に小形化することができる。
【００１２】
また、請求項４記載のフィルタ素子によれば、相互間に隙間を空けた状態で帯状導電体が一対並設されると共に、各帯状導電体の一端側に入力端子がそれぞれ接続可能でかつ各帯状導電体の他端側に出力端子がそれぞれ接続可能にコイル部を構成し、コイル部の両端側に磁性コアを一対配設し、各磁性コアにおけるコイル部との非対向面側に接地用電極をそれぞれ配設したことにより、一対の帯状導電体を平衡線路としつつ、各帯状導電体に関して上記した特性を備えたコモンモードノイズ用のフィルタ素子を実現することができる。
【発明を実施するための最良の形態】
【００１３】
以下、添付図面を参照して、本発明に係るフィルタ素子の好適な形態について説明する。
【００１４】
最初に、本発明の第１の形態に係る分布定数型フィルタ素子（以下、「フィルタ素子」ともいう）１について、図面を参照して説明する。
【００１５】
フィルタ素子１は、図１に示すように、コイル部２、一対の接地用電極３，３、一対の入力端子４ａ，４ｂ、一対の出力端子５ａ，５ｂ、接地用端子６、および磁性コア７を備えて、コモンモードノイズフィルタ（低域通過型フィルタ）として構成されている。
【００１６】
コイル部２は、図１に示すように、電気的絶縁性を有する帯状誘電体シート２ａ、および一対の帯状導電体２ｂ，２ｃを備えている。帯状誘電体シート２ａは、例えば、均一な幅に形成されている。各帯状導電体２ｂ，２ｃも同様にして、例えば、それぞれ均一な幅に形成されている。この場合、各帯状導電体２ｂ，２ｃは、一例として、その幅が帯状誘電体シート２ａの幅の二分の一未満にそれぞれ設定されると共に、お互いの長さが同一に設定されている。また、各帯状導電体２ｂ，２ｃは、相互間に隙間を空けた（設けた）状態で、かつ帯状誘電体シート２ａの長手方向に沿って互いに平行な状態で、帯状誘電体シート２ａの表面に並設されている。また、各帯状導電体２ｂ，２ｃは、各々の幅方向の端縁が帯状誘電体シート２ａの幅方向の各端縁からはみ出さないように（突出しないように）、帯状誘電体シート２ａの幅方向の各端縁までの間に隙間（幅Ｌの隙間）を空けて帯状誘電体シート２ａ上に配設されている。この場合、隙間の幅Ｌを変更することにより、コイル部２と接地用電極３，３との間に存在するキャパシタ成分の大小を調整することができる。
【００１７】
また、各帯状導電体２ｂ，２ｃは、各々の一端側に入力端子４ａ，４ｂの一端側がそれぞれ電気的に接続されると共に、各々の他端側に出力端子５ａ，５ｂの一端側がそれぞれ電気的に接続されている。なお、入力端子４ａ，４ｂを出力端子として用い、出力端子５ａ，５ｂを入力端子として用いることも勿論可能である。コイル部２は、このように帯状誘電体シート２ａ、およびこの帯状誘電体シート２ａ上に配設された一対の帯状導電体２ｂ，２ｃを、出力端子５ａ，５ｂが接続された他端側を巻始めとして巻回することにより、図１，２に示すように、全体として筒状（一例として中心孔２ｄが形成された円筒状）に形成されている。この場合、各入力端子４ａ，４ｂおよび各出力端子５ａ，５ｂは、各帯状導電体２ｂ，２ｃと共に帯状誘電体シート２ａ内に巻き込まれて、各々の各他端側がコイル部２の端面から突出している。また、各帯状導電体２ｂ，２ｃは、平衡線路を構成する。
【００１８】
一対の接地用電極３，３は、図１に示すように、外形が環状（中心孔３ａが形成された円形平板状）に形成されている。また、各接地用電極３，３は、図１，２に示すように、コイル部２の両端面（同図中の上下端面）にそれぞれ配設されている。また、各接地用電極３，３には、中心孔３ａから接地用電極３の外縁に達する切り込み３ｂがそれぞれ形成されている。すなわち、この中心孔３ａは、この切り込み３ｂを介して接地用電極３の外縁に連通する。つまり、接地用電極３は、帯状導電体２ｂ，２ｃを流れる電流によってコイル部２に形成される閉磁路に対してショートリングとして機能しないように構成されている。また、切り込み３ｂは、各接地用電極３，３に一つずつ、一例として接地用電極３の径方向に沿って直線状に形成されている。ただし、切り込み３ｂは、この構成に限定されるものではなく、その形状を非直線状（例えばジグザグ状、曲線状等）に形成することもできるし、複数形成してもよい。また、各接地用電極３，３は、平板状の金属体を打ち抜き加工する方法を含め、種々の加工方法で作製することができる。また、各接地用電極３，３は、一例として接地用端子６に配線ケーブルを介してそれぞれ電気的に接続されている。なお、配線ケーブルを使用せずに各接地用電極３，３をそれぞれ独立して接地するようにしてもよい。この場合、上記したように、各帯状導電体２ｂ，２ｃは、帯状誘電体シート２ａにおける幅方向の各端縁までの間に隙間を空けて帯状誘電体シート２ａ上に配設されているため、図２に示すように、各接地用電極３，３と非接触な状態に維持される。この結果、各接地用電極３，３と各帯状導電体２ｂ，２ｃとの間の電気的絶縁性が、絶縁シートなどを用いることなく簡易な構成で維持される。
【００１９】
磁性コア７は、図１に示すように、導電性磁性材料で形成された一対のコア体８，８を備えている。各コア体８，８は、円形平板（本発明における平板状の磁性コア）８ａと、円形平板８ａの一方の面の周縁に立設された周壁８ｂと、円形平板８ａの一方の面の中央に立設された柱状体８ｃとを備えて、いわゆるポットコアに構成されている。この場合、本発明における平板状の磁性コアを円形平板８ａのみで構成することもできる。また、各コア体８，８の周壁８ｂには、切り込み８ｄが一例として２つずつそれぞれ形成されている。磁性コア７は、各コア体８，８における開口端側を密着させようにして組み合わせることにより、両端が閉塞された円筒体となるように構成されている。また、円筒体に構成された磁性コア７の内部には、図２に示すように、中心孔２ｄに各柱状体８ｃ，８ｃがそれぞれ挿入された状態でコイル部２が収納されている。この場合、コイル部２の各端面から突出する各入力端子４ａ，４ｂ、各出力端子５ａ，５ｂ、および接地用端子６は、各切り込み８ｄを介して各々の他端側が磁性コア７の外部に引き出されている。
【００２０】
このフィルタ素子１では、帯状導電体２ｂが、コイル部２における帯状導電体２ｂ側の端面に配設された接地用電極３と主として容量結合し、また帯状導電体２ｃが、コイル部２における帯状導電体２ｃ側の端面に配設された接地用電極３と主として容量結合することにより、フィルタ素子１は、インダクタ成分とキャパシタ成分とが分布定数的に存在するコモンモードフィルタ素子として機能する。また、このフィルタ素子１では、従来のフィルタ素子とは異なり、接地用電極３，３が帯状導電体２ｂ，２ｃと一緒に巻回されない構成のため、接地用電極３，３自体のインダクタンスが従来のフィルタ素子と比較して十分に小さくなる。この結果、カットオフ周波数よりも高い周波数帯域において、各帯状導電体２ｂ，２ｃを通過する信号に対する各帯状導電体２ｂ，２ｃにおける各部位相互間のキャパシタ成分の影響よりもその信号に対する各帯状導電体２ｂ，２ｃと各接地用電極３，３との間のキャパシタ成分の影響が大きい状態を維持することができると考えられる。つまり、ノイズ成分が、このキャパシタ成分を介して、よりスムーズに接地に流れ込むようになると考えられる。また、接地用電極３，３と各帯状導電体２ｂ，２ｃとが一緒に巻回されない構成のため、各帯状導電体２ｂ，２ｃと各接地用電極３，３との磁気的結合の度合いを従来のフィルタ素子よりも小さくすることができる結果、各帯状導電体２ｂ，２ｃを通過する信号に対応した影像電流（誘導電流）が各接地用電極３，３を流れにくくなると考えられる。このため、影像電流に起因する磁気的特性の悪化を軽減することができる結果、磁性コア７を装着したことと相俟って、各帯状導電体２ｂ，２ｃにおけるインダクタ成分の低下を十分に抑制することができると考えられる。したがって、このフィルタ素子１によれば、カットオフ周波数を超える周波数帯域において十分な減衰量を確保することができる結果、この周波数帯域におけるノイズ等を良好に減衰させることができる。さらに、また、接地用電極３，３と各帯状導電体２ｂ，２ｃとが一緒に巻回されない構成のため、その分だけコイル部２の外径を小さくすることができる結果、フィルタ素子１を十分に小形化することができる。
【００２１】
次いで、本発明の第２の形態に係るフィルタ素子１１について、図面を参照して説明する。なお、フィルタ素子１と同一の構成要素については、同一の符号を付して重複した説明を省略する。
【００２２】
フィルタ素子１１は、図３に示すように、コイル部２、一対の接地用電極１３，１３、一対の入力端子４ａ，４ｂ、一対の出力端子５ａ，５ｂ、接地用端子６、および磁性コア７を備えて、コモンモードノイズフィルタ（低域通過型フィルタ）として構成されている。この場合、一対の接地用電極１３，１３は、例えば、同図に示すように、円形平板状に形成されている。また、各接地用電極１３，１３は、図３，４に示すように、各コア体８，８におけるコイル部２との非対向面側、具体的には磁性コア７の両端面（図４中の上下端面）にそれぞれ配設されている。また、各接地用電極１３，１３は、一例として接地用端子６に配線ケーブルを介してそれぞれ電気的に接続されている。なお、配線ケーブルを使用せずに各接地用電極１３，１３をそれぞれ独立して接地するようにしてもよい。
【００２３】
このフィルタ素子１１では、帯状導電体２ｂが、磁性コア７における帯状導電体２ｂ側の端面（外表面）に配設された接地用電極１３とコア体８を介して主として容量結合し、帯状導電体２ｃが、磁性コア７における帯状導電体２ｃ側の端面（外表面）に配設された接地用電極１３と主として容量結合する。この場合、各帯状導電体２ｂ，２ｃと各コア体８，８との間の静電容量（空隙部分の静電容量）をＣ１、コア体８，８部分の静電容量をＣ２とすると、各コア体８，８の誘電率が空気の誘電率と比較して非常に大きいため、各帯状導電体２ｂ，２ｃと各接地用電極１３，１３との間の静電容量は、各帯状導電体２ｂ，２ｃと各コア体８，８との間の静電容量Ｃ１とほぼ等しくなる。このため、フィルタ素子１１は、フィルタ素子１と同様にして、インダクタ成分とキャパシタ成分とが分布定数的に存在するコモンモードフィルタ素子として機能する。したがって、このフィルタ素子１１によれば、上記したフィルタ素子１と同様の効果を奏することができる。さらに、このフィルタ素子１１によれば、各接地用電極１３，１３の形状を製造の容易な円形平板状としたことにより、各接地用電極１３，１３の製造に要するコストを十分に低減することができる結果、製品を一層安価に製造することができる。また、各コア体８が導電性を有しているため、磁性コア７の一方の端面にのみ接地用電極１３を配設する構成を採用したとしても、各帯状導電体２ｂ，２ｃを接地（グランド）に対して十分に容量結合させることができる。
【００２４】
なお、本発明は、上記の構成に限定されない。例えば、フィルタ素子１，１１では、各帯状導電体２ｂ，２ｃの幅方向の各端縁と帯状誘電体シート２ａの幅方向の各端縁との間に隙間（幅Ｌの隙間）を空けて、各帯状導電体２ｂ，２ｃおよび各接地用電極３，３の電気的接触、または各帯状導電体２ｂ，２ｃおよび各コア体８，８の電気的接触を避ける構成が採用されているが、フィルタ素子１では、コイル部２の各端面と各接地用電極３，３との間に絶縁性を有するシート状の誘電体を配設することにより、またフィルタ素子１１では、コイル部２の各端面と各コア体８，８との間に絶縁性を有するシート状の誘電体を配設することにより、各帯状導電体２ｂ，２ｃおよび各接地用電極３，３の電気的接触、または各帯状導電体２ｂ，２ｃおよび各コア体８，８の電気的接触を回避することができる。また、この構成によれば、誘電体の材質や厚みを変更することにより、分布定数的に存在するキャパシタ成分の大小を調整することができる。
【００２５】
また、一対の帯状導電体２ｂ，２ｃを備えてコモンモードフィルタに構成したフィルタ素子１，１１について上記したが、図５に示すように、一対の帯状導電体２ｂ，２ｃの一方のみ（同図では一例として帯状導電体２ｂ）を帯状誘電体シート２ａに重ねて巻回して構成したコイル部２２を用いることにより、分布定数型ノーマルモードフィルタとして機能するフィルタ素子を実現することもできる。この場合、このフィルタ素子は、１つの入力端子４ａと１つの出力端子５ａとを備えて構成される。
【００２６】
次に、フィルタ素子１１についての実施例を挙げて本発明を詳細に説明する。
【００２７】
厚み５０μｍで幅１０ｍｍに規定されたポリイミド絶縁シートで形成された帯状誘電体シート２ａ、幅を３ｍｍに設定した一対の帯状導電体２ｂ，２ｃを使用して、各信号用導電体２ｂ，２ｃに対して帯状誘電体シート２ａが外側となる巻数１２のコイル部２を作製すると共に、作製したコイル部２をポットコア（Ｈ５Ｃ（ＴＤＫ社製））に装着してフィルタ素子を作製した。
【００２８】
次いで、作製したフィルタ素子の各周波数毎の減衰特性を、ＡＤＶＡＮＴＥＳＴ社製のＮＥＴＷＯＲＫ  ＡＮＡＬＹＺＥＲ  Ｒ３７６７ＣＧを使用して測定した。この際に、一対の入力端子４ａ，４ｂを短絡させると共に、一対の出力端子５ａ，５ｂを短絡させて、帯状導電体２ｂ，２ｃに対して試験用信号を同時に供給する方法を採用した。このフィルタ素子の減衰特性を図６に示す。同図によれば、作製したフィルタ素子は、約１ＭＨｚ〜３００ＭＨｚの広い周波数帯域で十分な減衰量（３０ｄＢ以上の減衰量）を確保できることが確認された。
【図面の簡単な説明】
【００２９】
【図１】フィルタ素子１の構成を示す分解斜視図である。
【図２】フィルタ素子１の完成状態におけるコイル部２の径方向に沿って切断した断面図である。
【図３】フィルタ素子１１の構成を示す分解斜視図である。
【図４】フィルタ素子１１の完成状態におけるコイル部２の径方向に沿って切断した断面図である。
【図５】コイル部２２の構成を示す斜視図である。
【図６】実施例に係るフィルタ素子の周波数と減衰量との関係を示す減衰特性図である。
【符号の説明】
【００３０】
１，１１  フィルタ素子
２，２２  コイル部
２ａ  帯状誘電体シート
２ｂ，２ｃ  帯状導電体
２ｄ  中心孔
３，１３  接地用電極
３ａ  中心孔
３ｂ  切り込み
４ａ，４ｂ  入力端子
５ａ，５ｂ  出力端子
６  接地用端子
７  磁性コア
【図１】
2005318263.tif 000003
【図２】
2005318263.tif 000004
【図３】
2005318263.tif 000005
【図４】
2005318263.tif 000006
【図５】
2005318263.tif 000007
【図６】
2005318263.tif 000008